(57)【特許請求の範囲】
【請求項１】
タップ変成器用の負荷選択器（１）であって、
この負荷選択器（１）は、オイルタンク（１８）と事前選択器（３７）を有し、
この事前選択器（３７）は、負荷選択器（１）が切り換える相（Ｌ１，Ｌ２，Ｌ３）毎に第一の事前選択接点（７１）と第二の事前選択接点（７２）を有し、
これらの第一の事前選択接点（７１）と第二の事前選択接点（７２）がオイルタンク（１８）の壁（１７）に配置されて、このオイルタンク（１８）の壁（１７）を通り抜けている、
負荷選択器において、
負荷選択器（１）が切り換える相（Ｌ１，Ｌ２，Ｌ３）毎に、第一の空接点（７３）と、この第一の空接点（７３）から切り離された別の第二の空接点（７４）とが配備され、  これらの第一の空接点（７３）と第二の空接点（７４）が、それぞれオイルタンク（１８）の壁（１７）に配置されて、オイルタンク（１８）の壁（１７）を通り抜けている、ことを特徴とする負荷選択器。
【請求項２】
請求項１に記載の負荷選択器（１）において、
負荷選択器（１）が切り換える少なくとも一つの相（Ｌ１，Ｌ２，Ｌ３）に関して、第一の空接点（７３）と第二の空接点（７４）が、オイルタンク（１８）の外で接続部品（７５）によって通電接続されていることを特徴とする負荷選択器。
【請求項３】
請求項１又は２に記載の負荷選択器において、
事前選択器（３７）の第一の切換状態で、オイルタンク（１８）内において第一の事前選択接点（７１）と第一の空接点（７３）の間の通電接続が行なわれ、
事前選択器（３７）の第二の切換状態で、オイルタンク（１８）内において第二の事前選択接点（７２）と第二の空接点（７４）の間の通電接続が行なわれる、
ことを特徴とする負荷選択器。
【請求項４】
請求項３に記載の負荷選択器において、
事前選択器（３７）が接点支持体（６０）を有し、この接点支持体が、オイルタンク（１８）内に配置され、負荷選択器（１）が切り換える相（Ｌ１，Ｌ２，Ｌ３）毎に通電接続用接点ブリッジ（５０）を有し、第一の接触位置（Ｋ１）と第二の接触位置（Ｋ２）の間をオイルタンク（１８）に対して相対的に回転することが可能であり、
この接点支持体（６０）の第一の接触位置（Ｋ１）では、事前選択器（３７）の第一の切換状態が実現され、その切換状態では、負荷選択器（１）が切り換える相（Ｌ１，Ｌ２，Ｌ３）毎に、各接点ブリッジ（５０）の第一の端部（５１）がそれぞれ第一の事前選択接点（７１）と通電接続されるとともに、その接点ブリッジ（５０）の第二の端部（５２）がそれぞれ第一の空接点（７３）に接触し、
この接点支持体（６０）の第二の接触位置（Ｋ２）では、事前選択器（３７）の第二の切換状態が実現され、その切換状態では、各接点ブリッジ（５０）の第一の端部（５１）がそれぞれ第二の事前選択接点（７２）と通電接続されるとともに、その接点ブリッジ（５０）の第二の端部（５２）がそれぞれ第二の空接点（７４）に接触する、
ことを特徴とする負荷選択器。
【請求項５】
請求項４に記載の負荷選択器（１）において、
接点支持体（６０）が支持リング（６１）を有し、その支持リングには、負荷選択器（１）が切り換える相（Ｌ１，Ｌ２，Ｌ３）と同じ数の支持アーム（６２）が配備され、各支持アーム（６２）の支持リング（６１）と逆側の端部には、接点ブリッジ（５０）の中の一つが配置されており、
この支持アーム（６２）が、取付区画（６８）と、この取付区画（６８）と逆側に形成され、接点ブリッジ（５０）用の位置固定部（６９）が配備された自由端（６４）とを有し、
この支持アーム（６２）には、第一の側方リブ（６５）と第二の側方リブ（６６）、並びにこれらの第一の側方リブ（６５）と第二の側方リブ（６６）の間を支持アーム（６２）の長さ（Ｌ１）に沿って延びるフレーム状隆起部（６７）が形成されている、
ことを特徴とする負荷選択器。
【請求項６】
請求項５に記載の負荷選択器（１）において、
接点ブリッジ（５０）用の位置固定部（６９）が、フレーム状隆起部（６７）によって、支持アーム（６２）の自由端（６４）に形成され、更に、接点ブリッジ（５０）用の第一の側方保持部（７６）と第二の側方保持部（７７）が支持アーム（６２）の自由端（６４）に形成されていることを特徴とする負荷選択器。
【請求項７】
請求項５又は６に記載の負荷選択器（１）において、
この支持アーム（６２）には、支持アーム（６２）の取付区画（６８）から自由端（６４）にまで延びる、それぞれ互いに角度を成して配置された複数の面部分（７８）が形成されていることを特徴とする負荷選択器。
【請求項８】
請求項５から７までのいずれか一つに記載の負荷選択器（１）において、
複数の面部分（７８）、第一の側方リブ（６５）、第二の側方リブ（６６）、フレーム状隆起部（６７）、位置固定部（６９）、第一の側方保持部（７６）及び第二の側方保持部（７７）を備えた支持アーム（６２）が非導電材料から射出成形されていることを特徴とする負荷選択器。
【請求項９】
請求項８に記載の負荷選択器（１）において、
当該の非導電材料がプラスチックであることを特徴とする負荷選択器。
【請求項１０】
請求項５に記載の負荷選択器（１）において、
接点ブリッジ（５０）が一つの円（５５）の円周に沿って配置され、その円の直径（５６）が支持リング（６１）の外径（６３）よりも大きいことを特徴とする負荷選択器。
【請求項１１】
請求項１から１０までのいずれか一つに記載の負荷選択器（１）において、
負荷選択器（１）が三つの相（Ｌ１，Ｌ２，Ｌ３）を有することを特徴とする負荷選択器。
【発明の詳細な説明】
【技術分野】
【０００１】
本発明は、タップ変成器用の負荷選択器、特に、負荷選択器のオイルタンク内に配置された事前選択器を備えた負荷選択器に関する。この事前選択器は、負荷選択器が切り換える相毎に第一の事前選択接点と第二の事前選択接点を有する。これらの第一の事前選択接点と第二の事前選択接点は、オイルタンクの壁に配置されて、オイルタンクの壁を通り抜けている。
【０００２】
更に、本発明は、負荷選択器の事前選択器用の支持アームに関する。この支持アームは、取付区画とこの取付区画と逆側に構成された自由端とを有する。この自由端には、事前選択器の接点ブリッジ用の位置固定部が配備されている。
【背景技術】
【０００３】
負荷時タップ切換器（英語で「ｏｎ−ｌｏａｄ  ｔａｐ−ｃｈａｎｇｅｒｓ」、略してＯＬＴＣ）は、従来技術の至る所で知られ、使われている。それらは、タップ付変成器の異なる巻線タップの間を無中断で切り換える役割を果たす。
【０００４】
そのような負荷時タップ切換器は、負荷選択器と、選択器を備えた負荷切換開閉器とに区分される。
【０００５】
例えば、特許文献１に開示されている通りの選択器を備えた負荷切換開閉器では、精密選択器と、場合によっては、事前選択器とから成る選択器が負荷切換開閉器の下に配置されている。その選択器は、タップ付変成器のその時々の切り換え先の新しい巻線タップを無電力状態で選択する役割を果たす。その負荷切換開閉器は、その新しく事前選択された切り換え先の巻線タップに切り換える、その後の速く無中断で切り換える役割を果たす。
【０００６】
例えば、特許文献２に記載されている通りの選択器は、選択器を備えた負荷切換開閉器と同様に、そのタップ付変成器の制御巻線のタップを負荷時に切り換えて、それにより消費側での電圧変化を目的通り平準化する役割を果たす。選択器から負荷切換開閉器を切り離すことを省くことによって、より小さい負担で負荷選択器を製造することができる。
【０００７】
両方の形式の負荷時タップ切換器は、モータ駆動部の切り換えにより操作される。そのモータ駆動部によって、蓄圧器に力を貯めるための被動シャフト又は駆動シャフトを動かしている。その蓄圧器が完全に力を貯めた場合、即ち、付勢された場合、それは留めを解除されて、そのエネルギーが突如解放され、ミリ秒（ｍｓ）の時間範囲内で開閉管を操作し、そして、その開閉管は、負荷切換中の特定の切換フローを実行する。その場合、次に、異なる切換接点と抵抗接点が所定の時間順序で操作される。その場合、それらの切換接点は、その時々の巻線タップを負荷導体と直接接続する役割を果たし、それらの抵抗接点は、短時間開閉する、即ち、一つ以上の遷移抵抗を用いてブリッジする役割を果たす。有利には、真空開閉管が、負荷を切り換えるための開閉部品として使用される。それは、例えば、特許文献３〜６に記載されている通り、負荷を切り換えるために真空開閉管を使用することは、オイル内のアーク放電の発生を防止する、そのため、負荷切換開閉器オイルのオイル汚染を防止するとの理由に基づくものである。
【０００８】
特許文献７は、タップ変成器用の三相負荷選択器を記載している。その負荷選択器のオイルタンクの内壁には、固定式事前選択接点が取り付けられている。それらの固定式事前選択接点は、オイルタンクに対して動く事前選択接点ブリッジと協力して動作し、それらの事前選択接点ブリッジは、オイルタンクの内部に有る、オイルタンクに対して画定された回転可能な絶縁体部分に取り付けられている。
【０００９】
特許文献８は、タップ切換器の事前選択器に関する。接点支持体は、周囲を取り囲む円筒体に配置された事前選択接点と協力して動作する少なくとも一つの可動式接点を有する。その場合、接点支持体が、円筒体に対して回転可能であり、そのため、回転によって、可動式接点が異なる事前選択接点と通電接続することができる。その場合、切換プロセス時のアークの発生を防止するために、回転運動の角速度の推移形態が切換プロセス中に変更されている。
【００１０】
そのような基本方式と同様に構成された事前選択器用の接点支持体は、特許文献９と１０にも記載されている。別の例は特許文献１１にも有る。
【００１１】
事前選択器での切換プロセスにおいて、接点遮断時にアークが発生する可能性が有る。事前選択器の耐用年数の経過中の繰り返される切換プロセスにより、接点の損傷と、事前選択器が負荷選択器の別の構造グループと共に中に置かれたオイルの汚染とを引き起こす可能性が有る。
【００１２】
このアークの発生を低減するために、一方において、切換速度を上昇させることができ、それは、事前選択器の駆動に対する追加要件を意味する。他方において、電圧の低減、そのため、切り離すべき接点でのアーク発生の防止又は少なくとも低減を実現するために、抵抗を一時的に中間接続することができる。そのような抵抗は、スペースを必要とする、即ち、追加の構造スペースを必要とする。更に、抵抗は追加コストを発生させる。更に、そのような抵抗は、故障率を持ち込む、そのため、装置全体の故障率を上昇させる可能性の有る追加構成部品である。
【先行技術文献】
【特許文献】
【００１３】
【特許文献１】ドイツ特許第１００５５４０６号明細書
【特許文献２】ドイツ特許第２８３３１２６号明細書
【特許文献３】ドイツ特許第１９５１０８０９号明細書
【特許文献４】ドイツ特許第４０１１０１９号明細書
【特許文献５】ドイツ特許公開第４２３１３５３号明細書
【特許文献６】ドイツ特許公開第１０２００７００４５３０号明細書
【特許文献７】ドイツ特許公開第２９１３２７１号明細書
【特許文献８】国際特許公開第２０１２／００３８６４号明細書（国際出願番号ＰＣＴ／ＥＰ０５９６７８）
【特許文献９】中国特許公開第２００６１０１１６５２２号明細書
【特許文献１０】中国特許公開第２００６１０１１６５２４号明細書
【特許文献１１】中国特許第１０２６２３２０１号明細書
【発明の概要】
【発明が解決しようとする課題】
【００１４】
以上のことから、本発明の課題は、抵抗を接続しなくとも、事前選択器の切換プロセス時のアーク発生を低減する負荷選択器を提供することである。
【００１５】
本発明の別の課題は、静電気的及び機械的な要件を満たし、それにも関わらず安価かつ簡単に製造される負荷選択器の事前選択器用の支持アームを提供することである。
【課題を解決するための手段】
【００１６】
本課題は、請求項１による負荷選択器により解決される。
【００１７】
本発明の別の課題は、請求項８の特徴を有する、負荷選択器の事前選択器用の支持アームによって解決される。
【００１８】
本発明による負荷選択器は、オイルタンクと事前選択器を有する。オイルタンクの壁に配備された、オイルタンクの外側から近付ける、事前選択器用の電気接続部品を除いて、この事前選択器は、オイルタンクの内部に有る。この事前選択器の駆動は、従来技術により周知の通り行なわれ、例えば、オイルタンクの蓋に、好適な駆動機器を配備することができる。
【００１９】
本発明による負荷選択器の事前選択器は、負荷選択器が切り換える相毎に、第一の事前選択接点と第二の事前選択接点を有する。これらの第一と第二の事前選択接点は、既に上述した事前選択器用の電気接続部品に属し、オイルタンクの壁に配置される。この場合、第一と第二の事前選択接点は、オイルタンクの壁を通り抜ける、言い換えると、オイルタンクの内部空間と、外部空間、即ち、負荷選択器のオイルタンクの周囲との間の通電接続部である。これらの第一と第二の事前選択接点は、オイルタンクの壁に対して電気絶縁されている。
【００２０】
更に、周知の事前選択器は、事前選択器が切り換える相毎に空接点を有する。本発明による負荷選択器では、事前選択器は、特に、負荷選択器が切り換える相毎に、第一の空接点と第二の空接点を有する。本発明では、これらの第一の空接点と第二の空接点は、別個の部品として構成される。これらの第一の空接点と第二の空接点は、それぞれオイルタンクの壁に配置されて、オイルタンクの壁を通り抜ける、言い換えると、オイルタンクの内部空間と、外部空間、即ち、負荷選択器のオイルタンクの周囲との間の通電接続部である。これらの第一と第二の空接点は、オイルタンクの壁に対して電気絶縁されている。負荷選択器の動作時に、これらの空接点は、負荷選択器用の基準電位に有る。この基準電位は空電位又は地電位とも呼ばれる。
【００２１】
本発明による負荷選択器の事前選択器は、第一の切換状態と第二の切換状態を有する。事前選択器の第一の切換状態では、オイルタンク内において、第一の事前選択接点と第一の空接点の間の通電接続が実現される。事前選択器の第二の切換状態では、オイルタンク内において、第二の事前選択接点と第二の空接点の間の通電接続が実現される。事前選択器の切換状態の変更によって、変成器の制御範囲が拡大される。
【００２２】
第一と第二の空接点、即ち、二つの切り離された空接点を使用する利点は、切換プロセス時、即ち、事前選択器の第一の切換状態から第二の切換状態又はその逆の移行時に、当該の事前選択器接点との電気接触が遮断されるだけでなく、当該の空接点との電気接触も遮断されることである。それによって、アークの発生又は維持が困難となる、即ち、全体的に見て、事前選択器の切換プロセス時のアークの発生が低減される。
【００２３】
一つの実施構成では、負荷選択器が切り換える少なくとも一つの相に関して、第一の空接点と第二の空接点は、オイルタンクの外で接続部品により通電接続されている。前に述べた切り離された空接点を使用する利点は、前記のオイルタンク外での空接点間の通電接続によって向上されない。しかし、一つの相の空接点間の通電接続のためには、その相に属する空接点用の一つの共通の電気導体で十分である。
【００２４】
本発明による負荷選択器の一つの実施形態では、事前選択器は、オイルタンクの内部に配置された接点支持体を有する。この接点支持体は、負荷選択器が切り換える相毎に通電接点ブリッジを有する構成部品である。この接点支持体は、第一の接触位置と第二の接触位置の間をオイルタンクに対して相対的に回転することが可能であり、その駆動は、上述した通り周知の措置により行なうことができる。接点支持体が第一の接触位置に有る場合、事前選択器の第一の切換状態が実現される。接点支持体が第二の接触位置に有る場合、事前選択器の第二の切換状態が実現される。
【００２５】
この場合、第一と第二の接触位置は、以下の通り特徴付けられる。
【００２６】
接点支持体の第一の接触位置では、負荷選択器が切り換える相毎に、各接点ブリッジの第一の端部がそれぞれ第一の事前選択接点と通電接続されるとともに、各接点ブリッジの第二の端部がそれぞれ第一の空接点と接触する。それによって、オイルタンク内では、第一の事前選択接点と第一の空接点の間の通電接続が実現される。
【００２７】
接点支持体の第二の接触位置では、負荷選択器が切り換える相毎に、各接点ブリッジの第一の端部がそれぞれ第二の事前選択接点と通電接続されるとともに、各接点ブリッジの第二の端部がそれぞれ第二の空接点と接触する。それによって、オイルタンク内では、第二の事前選択接点と第二の空接点の間の通電接続が実現される。
【００２８】
この実施構成では、既に上述した二つの空接点を使用する利点は次の通りである。事前選択器の切換プロセス時に、接点支持体の回転によって、接点ブリッジの第一の端部がそれに対応する事前選択接点との接触を喪失するだけでなく、接点ブリッジの第二の端部がそれに対応する空接点との接触も喪失する。それによって、アークの発生又は維持が困難となる、即ち、全体的に見て、事前選択器の切換プロセス時のアークの発生が低減される。
【００２９】
本発明による負荷選択器の別の実施構成では、接点支持体は、負荷選択器が切り換える相と同じ数の支持アームを備えた支持リングを有する。各支持アームは、その支持リングと逆側の端部に、事前選択器の接点ブリッジの中の一つを備える。
【００３０】
この場合、この実施構成の改善構成では、接点ブリッジは、一つの円の円周に沿って配置される。この円の直径は、ここで示す実施構成では、支持リングの外径よりも大きい。この構成は、一方において、個々の相の接点ブリッジ間の出来る限り大きな間隔を実現するために、オイルタンクの内径を利用するが、支持リングの領域では、少ないスペースしか必要とせず、そのことは、接点支持体及び事前選択器全体を負荷選択器に取り付けるための利点となる。
【００３１】
本発明による負荷選択器の事前選択器の支持アームは、事前選択器の支持リングに支持アームを取り付けるための取付区画を有する。支持アームは、この取付区画と逆側に、接点ブリッジ用の位置固定部が配備された自由端を有する。この支持アームは、第一と第二の側方リブを形成され、これらの第一と第二の側方リブの間に、支持アームの長さに沿って延びる少なくとも一つのフレーム状隆起部が形成されるように、一回の作業プロセスで製造される。
【００３２】
特に、接点ブリッジ用の位置固定部は、このフレーム状隆起部によって、支持アームの自由端に形成することができる。更に、接点ブリッジに対する第一と第二の側方保持部が支持アームの自由端に形成される。この支持アームには、有利には、それぞれ互いに角度を成して配置された複数の面部分が形成され、これらの面部分は、取付区画から支持アームの自由端にまで延びる。
【００３３】
有利には、互いに角度を成して配置された複数の面部分（面部分の波形状の配列）、第一の側方リブ、第二の側方リブ、フレーム状隆起部、位置固定部、第一の側方保持部及び第二の側方保持部を有する支持アームが、非導電材料から、成形方法、有利には、射出成形プロセスにより製作される。有利には、この非導電材料はプラスチックであり、機械的な特性を改善するために、更に、充填材料を配備することができる。
【００３４】
事前選択器の支持アームのこの実施形態の利点は、電気漏れ経路が延長されると同時に、各支持アームの機械的な強度が向上されることである。
【００３５】
本発明による負荷選択器は、有利には、単相又は多相交流電力網に用いることができる。特に、負荷選択器は、三つの相を切り換えるように設計することができる。
【００３６】
以下において、添付図面と関連付けて本発明とその利点を詳しく説明する。
【図面の簡単な説明】
【００３７】
【図１】本発明による三相負荷選択器の実施構成の斜視図
【図２】図１の負荷選択器の事前選択器の斜視図
【図３】図２の事前選択器の詳細図
【図４】図１の負荷選択器の接点支持体の模式的な平面図
【図５】従来技術による事前選択接点の切り換えに関する模式図
【図６】本発明による事前選択接点の切り換えに関する模式図
【発明を実施するための形態】
【００３８】
本発明の同じ、或いは同様に作用する構成要素に対しては、同じ符号が使用されている。更に、見易くするために、個々の図面では、その時々の図面の説明に必要な符号だけが表示されている。ここに図示された実施構成は、本発明による負荷選択器及び本発明による支持アームを如何に構成できるかの単なる例であり、そのため、本発明を最終的に制限するものではない。特に、図面及び図面の記載が三相負荷選択器に関する場合でも、本発明は単相又は多相交流電力網用の負荷選択器を意図しており、そのため、三つの数の相は本発明を制限するものではない。
【００３９】
図１は、本発明による三つの相Ｌ１，Ｌ２，Ｌ３の負荷時タップ切換器又は負荷選択器１の実施構成の斜視図を図示している。この負荷選択器１は、伝動部５を備えた、図示されていない蓄圧器に力を貯めるための、例えば、電気モータなどの駆動部３を有する。この蓄圧器が完全に力を貯めた場合、即ち、付勢された場合、それは留めを解除されて、そのエネルギーが突如解放され、負荷切換開閉器用差込機器１４の開閉管１５を操作する。この場合、回転又は旋回する開閉管１５がオイルタンク１８内に保持されている。このオイルタンク１８は、上方を蓋１９で閉鎖されるとともに、更に、底部２１を備えている。
【００４０】
本発明による負荷選択器１は、多相式であり、例えば、オイルタンク１８内に互いに重ねて配置された第一の相Ｌ１、第二の相Ｌ２及び第三の相Ｌ３を有する。これら三つの相Ｌ１，Ｌ２，Ｌ３の上には、事前選択器３７が据えられている。ここに図示された図面では、事前選択接点７１，７２（図２を参照）用の電気接続部品３８がオイルタンク１８のオイルタンク壁１７に配備されている。この場合、これら三相Ｌ１，Ｌ２，Ｌ３の（図示されていない）タップ接点用の電気接続部品３９が、オイルタンク１８のオイルタンク壁１７を通り抜けるように、同じく負荷選択器１に配置されている。
【００４１】
図２は、オイルタンク１８内の事前選択器３７を図示している。この事前選択器３７は、支持リング６１とその支持リング６１に取り付けられた支持アーム６２とを備えた接点支持体６０を有する。この図面では三相負荷選択器１用の事前選択器３７である（図１を参照）ので、この実施構成では、それに対応して電気絶縁材料から成る三つの支持アーム６２が配備されている。そのため、相Ｌ１，Ｌ２，Ｌ３毎に（図１を参照）、一つの支持アーム６２が配備され、その支持アームは、負荷選択器１の旋回運動とそれと連動した支持アームの旋回運動によって切り換えられる。各支持アーム６２には、接点ブリッジ５０が支持アーム６２の自由端に配置されている。
【００４２】
オイルタンク１８の内壁２０には、第一の事前選択接点７１と第二の事前選択接点７２、並びに第一の空接点７３と第二の空接点７４が配置されている。これらの第一の事前選択接点７１、第二の事前選択接点７２、第一の空接点７３及び第二の空接点７４はオイルタンク１８の内壁２０に配置されている。第一の事前選択接点７１、第二の事前選択接点７２、第一の空接点７３及び第二の空接点７４は、それぞれ電気接続部品３８を介してオイルタンク壁１７を貫通してオイルタンク１８の外壁１６にまで通り抜けている。これらの第一の事前選択接点７１、第二の事前選択接点７２、第一の空接点７３及び第二の空接点７４の電気接続部品３８は、事前選択器３７の動作時に確実かつ持続的に位置決めされるように、それぞれ保持部品３１によってオイルタンク壁１７に保持されている。負荷選択器１が切り換える相Ｌ１，Ｌ２，Ｌ３毎に、それぞれ第一の事前選択接点７１、第二の事前選択接点７２、第一の空接点７３及び第二の空接点７４が配備されている。この図面では、これらの接点の中の幾つかが別の部品により隠れている。第一の事前選択接点７１、第二の事前選択接点７２、第一の空接点７３及び第二の空接点７４は、オイルタンク１８の壁１７を通り抜け、そのようにして、オイルタンク１８の内部空間１００とオイルタンク１８の周囲１０１の間を通電接続している。第一の空接点７３、第二の空接点７４、第一の事前選択接点７１及び第二の事前選択接点７２は、オイルタンク１８の壁１７によって互いに電気絶縁されている。
【００４３】
ここに図示された実施構成では、負荷選択器１が切り換える相Ｌ１，Ｌ２，Ｌ３に属する第一の空接点７３と第二の空接点７４が、それぞれ通電接続部品７５により接続されている。この場合、この接続部品７５は、それぞれオイルタンク１８の外に有る。
【００４４】
図示された図面では、事前選択器３７は第一の接触位置Ｋ１に有る。この場合、相Ｌ１，Ｌ２，Ｌ３毎に、各接点ブリッジ５０の第一の端部５１が各第一の事前選択接点７１と通電接続されるとともに、各接点ブリッジ５０の第二の端部５２が各相Ｌ１，Ｌ２，Ｌ３の第一の空接点７３と接触する。
【００４５】
第二の接触位置Ｋ２では、相Ｌ１，Ｌ２，Ｌ３毎に、各接点ブリッジ５０の第一の端部５１が各第二の事前選択接点７２と通電接続されるとともに、各接点ブリッジ５０の第二の端部５２が各相Ｌ１，Ｌ２，Ｌ３の第二の空接点７４と接触する。
【００４６】
事前選択器３７の第一の接触位置Ｋ１と第二の接触位置Ｋ２の間の移行は、軸Ｃの周りの事前選択器３７の回転運動によって行なわれる（図３を参照）。
【００４７】
図３は、図２の事前選択器３７の詳細図を図示している。そこに図示された主要な数の部品は既に図２で考察した。第一の事前選択接点７１、第二の事前選択接点７２、第一の空接点７３及び第二の空接点７４の特別な造形が本発明を制限するものと解釈してはならない。同様に、図示された実施構成の接点ブリッジ５０が二つの平行な通電金属板５３から構成され、それらの金属板の間に事前選択接点７１，７２と空接点７３，７４が差し込まれて電気接触部を作り出すことが僅かに本発明を制限するものである。この場合、事前選択器３７の接触位置Ｋ１，Ｋ２に応じて、接点ブリッジ５０が第一の事前選択接点７１と第一の空接点７３の間又は第二の事前選択接点７２と第二の空接点７４の間の通電接続部を作り出させることだけが重要である。第一の接触位置Ｋ１から第二の接触位置Ｋ２への移行及びその逆の移行は、軸Ｃの周りの事前選択器３７の旋回運動によって行なわれる。
【００４８】
図２と３の図面は、同じく本発明による事前選択器３７の支持アーム６２の実施形態を図示している。この支持アーム６２は、成形手法、例えば、射出成形手法により、非導電材料、特に、プラスチックから製作できるように構成される。この支持アーム６２を製造するための材料を節約でき、それにも関わらず動作に必要な機械的な安定性を実現するために、支持アーム６２には、第一の側方リブ６５と第二の側方リブ６６が形成されている。更に、これらの第一の側方リブ６５と第二の側方リブ６６の間には、支持アーム６２の長さＬに沿って延びる少なくとも一つのフレーム状隆起部６７が形成されている。この支持アーム６２は、取付区画６８により支持リング６１に固定されている。支持アーム６２は、この取付区画６８と逆側に自由端６４を有する。この自由端６４には、接点ブリッジ５０用の位置固定部６９が配備されている。この接点ブリッジ５０用の位置固定部６９は、フレーム状隆起部６７によって形成され、更に、接点ブリッジ５０用の第一の側方保持部７６と第二の側方保持部７７が支持アーム６２の自由端６４に形成されている。
【００４９】
これらの接点ブリッジ５０用の位置固定部６９、第一の側方保持部７６及び第二の側方保持部７７は、支持アーム６２に対して、例えば、射出成形などの製造プロセス中に一回の作業工程で形成される。この支持アーム６２の製造時に、取付区画６８から支持アーム６２の自由端６４にまで延びる複数の面部分７８が支持アーム６２に形成される。これらの面部分７８は、それぞれ互いに角度を成して配置される。これらの面部分７８の本発明による構成によって、一方において、支持アーム６２の機械的な安定性が実現され、他方において、所要の絶縁間隔を遵守するために、支持アーム６２の十分な有効長が実現される。これらの第一の側方リブ６５、第二の側方リブ６６、フレーム状隆起部６７及び複数の面部分７８は、一緒になって支持アーム６２の長さＬに沿って波の形状を形成し、それによって、漏れ経路が長くされている。
【００５０】
図４は、接点支持体６０の実現可能な実施構成の模式的な平面図を図示している。この場合、支持リング６１、支持アーム６２及びそれぞれ支持アームに配置された接点ブリッジ５０だけが図示されている。ここでは、接点ブリッジ５０が一つの円５５上に置かれ、その円の直径５６は支持リング６１の外径６３よりも大きい。その結果得られる利点は、上述した通り既に考察した。この円５５の直径５６と支持リング６１の外径６３の間の差は、各支持アーム６２が事前選択器３７の軸Ｃに対してゼロよりも大きい角度を成すことによって実現される（図３を参照）。
【００５１】
図５には、従来技術による事前選択接点７１，７２の切り換えに関する模式図が図示されている。ここでは、第一の事前選択接点７１と第一の空接点７３が互いに切り離された場合に、第一の端部５１と第二の端部５２を備えた接点ブリッジ５０によって、常に一回の遮断だけが可能である。第一の事前選択接点７１と接点ブリッジ５０の第一の端部５１の間にのみ、開放路Ｓが生じる。
【００５２】
図６には、本発明による事前選択接点７１，７２の切り換えに関する模式図が図示されている。接点ブリッジ５０の速度が同じとして、この複式遮断が電気的に有効な開放速度を二倍にすることができる。この同じ時間において、第一の事前選択接点７１と接点ブリッジ５０の第一の端部５１の間の開放路Ｓと、第一の空接点７３と接点ブリッジ５０の第二の端部５２の間の別の開放路Ｓとが実現される。それによって、接触部を作り出す際に発生するガス量が明らかに低減される。更に、負荷選択器１の直径を同じとして、実現可能な切換電力が明らかに増大される。それによって、拡大された用途範囲のための抵抗の使用が完全に防止される。その結果、又もや拡大された用途範囲において、さもなければ生じていた従来の抵抗による抵抗損が防止される。
【符号の説明】
【００５３】
１    負荷選択器
３    電気モータ
５    伝動部
１４    負荷切換開閉器用差込機器
１５    開閉管
１６    オイルタンクの外壁
１７    オイルタンク壁
１８    オイルタンク
１９    蓋
２０    オイルタンクの内壁
２１    底部
３１    保持部品
３７    事前選択器
３８    電気接続部品
３９    電気接続部品
５０    接点ブリッジ
５１    （接点ブリッジの）第一の端部
５２    （接点ブリッジの）第二の端部
５３    金属板
５５    円
５６    （円５５の）直径
６０    接点支持体
６１    支持リング
６２    支持アーム
６３    （支持リング６１の）外径
６４    支持アームの自由端
６５    第一の側方リブ
６６    第二の側方リブ
６７    波形状のフレーム状隆起部
６８    取付区画
６９    位置固定部
７１    第一の事前選択接点
７２    第二の事前選択接点
７３    第一の空接点
７４    第二の空接点
７５    接続部品
７６    第一の側方保持部
７７    第二の側方保持部
７８    面部分
１００  オイルタンクの内部空間
１０１  オイルタンクの周囲
Ｃ      事前選択器の軸
Ｋ１    第一の接触位置
Ｋ２    第二の接触位置
Ｌ      支持アームの長さ
Ｌ１    第一の相
Ｌ２    第二の相
Ｌ３    第三の相
Ｓ      開放路
【図１】
0006490069.tif 000002
【図２】
0006490069.tif 000003
【図３】
0006490069.tif 000004
【図４】
0006490069.tif 000005
【図５】
0006490069.tif 000006
【図６】
0006490069.tif 000007